【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
（ａ）光源光を発生する光源、及び（ｂ）前記光源光の少なくとも一部を可視変換光に変換する光コンバータを含む照明装置であって、前記光コンバータが、式ＩＡ及びＩＢで定義される、少なくとも２種の有機蛍光体の組み合わせを含む発光材料を含むマトリックスを含み、
【化４】
2017503188.tif 000001
式中、Ｇ１〜Ｇ１２は、独立して、水素原子、ハロゲン原子、Ｒ１、ＯＲ１、ＮＨＲ１及びＮＲ２Ｒ１から選択され、ここで、Ｒ１及びＲ２は、独立して、Ｃ１〜Ｃ１８アルキル基、Ｃ６〜Ｃ２４アリール基及びＣ６〜Ｃ２４ヘテロアリール基から選択される、照明装置。
【請求項２】
前記少なくとも２種の有機蛍光体ＩＡ及びＩＢのＧ１〜Ｇ１２のうちの少なくとも４つは、独立して、Ｈであり、且つ前記少なくとも２種の有機蛍光体ＩＡ及びＩＢのＧ２及びＧ７の１つ以上は、独立して、Ｒ１又はＯＲ１を含み、ここで、Ｒ１は式ＩＩで定義される通りであり、
【化５】
2017503188.tif 000002
式中、Ｄ、Ｅ、Ｉ、Ｌ及びＭは、独立して、水素原子、ハロゲン原子、Ｒ３、ＯＲ３、ＮＨＲ３及びＮＲ４Ｒ３から選択され、ここで、Ｒ３及びＲ４は、独立して、Ｃ１〜Ｃ１８アルキル基、Ｃ６〜Ｃ２４アリール基及びＣ６〜Ｃ２４ヘテロアリール基から選択される、請求項１に記載の照明装置。
【請求項３】
前記少なくとも２種の有機蛍光体ＩＡ及びＩＢの１種以上のＧ１〜Ｇ１２の１つ以上が、独立して、Ｒ１、ＯＲ１、ＮＨＲ１及びＮＲ２Ｒ１から選択され、ここで、Ｒ１及びＲ２の１つ以上が、独立して、式ＩＩで定義される基を含み、
【化６】
2017503188.tif 000003
式中、Ｄ、Ｅ、Ｉ、Ｌ及びＭは、独立して、水素原子、ハロゲン原子、Ｒ３、ＯＲ３、ＮＨＲ３及びＮＲ４Ｒ３から選択され、ここで、Ｒ３及びＲ４は、独立して、Ｃ１〜Ｃ１８アルキル基、Ｃ６〜Ｃ２４アリール基及びＣ６〜Ｃ２４ヘテロアリール基から選択される、請求項１又は２に記載の照明装置。
【請求項４】
Ｄ、Ｅ、Ｉ、Ｌ及びＭのうちの少なくとも２つはＨである、請求項３に記載の照明装置。
【請求項５】
Ｇ１〜Ｇ１２のうちの少なくとも１０個は、独立して、Ｈである、請求項１乃至４の何れか一項に記載の照明装置。
【請求項６】
前記少なくとも２種の有機蛍光体ＩＡ及びＩＢのＧ２及びＧ７の１つ以上は、独立して、Ｒ１又はＯＲ１を含み、Ｄ、Ｅ、Ｉ、Ｌ及びＭはＨであり、且つＧ１、Ｇ３、Ｇ４、Ｇ５、Ｇ６、Ｇ８、Ｇ９、Ｇ１０、Ｇ１１及びＧ１２のうちの少なくとも４つは、独立して、Ｈである、請求項３又は４に記載の照明装置。
【請求項７】
Ｇ１、Ｇ３、Ｇ４、Ｇ５、Ｇ６、Ｇ８、Ｇ９、Ｇ１０、Ｇ１１及びＧ１２のうちの少なくとも８つは、独立して、Ｈである、請求項６に記載の照明装置。
【請求項８】
前記発光材料は、式ＩＡ、ＩＢ、ＩＡ’及びＩＢ’
【化７】
2017503188.tif 000004
によって定義される少なくとも４種の異なる有機蛍光体の組み合わせを含む、請求項１乃至７の何れか一項に記載の照明装置。
【請求項９】
前記光源は青色光を発光し、前記照明装置は赤色光を発光する更なる発光材料を更に含み、前記更なる発光材料は（Ｂａ，Ｓｒ，Ｃａ）Ｓ：Ｅｕ、（Ｍｇ，Ｓｒ，Ｃａ）ＡｌＳｉＮ３：Ｅｕ、（Ｂａ，Ｓｒ，Ｃａ）２Ｓｉ５Ｎ８：Ｅｕ、及び量子ドットをベースとする発光材料からなる群から選択される発光材料を含む、請求項１乃至８の何れか一項に記載の照明装置。
【請求項１０】
前記マトリックスはポリマー材料を含む、請求項１乃至９の何れか一項に記載の照明装置。
【請求項１１】
前記マトリックスは芳香族ポリエステル又はその共重合体を含む、請求項１乃至１０の何れか一項に記載の照明装置。
【請求項１２】
Ｇ１、Ｇ２、Ｇ３、Ｇ４、Ｇ５、Ｇ６、Ｇ７、Ｇ８、Ｇ９、Ｇ１０、Ｇ１１及びＧ１２のうちの１つ以上は前記マトリックスとの共有結合を含む、請求項１乃至１１の何れか一項に記載の照明装置。
【請求項１３】
式ＩＡ及び式ＩＢで定義される少なくとも２種の有機蛍光体の組み合わせを含む発光材料を含有するマトリクスを含む光コンバータであって、
【化８】
2017503188.tif 000005
式中、Ｇ１〜Ｇ１２は、独立して、水素原子、ハロゲン原子、Ｒ１、ＯＲ１、ＮＨＲ１及びＮＲ２Ｒ１から選択され、ここで、Ｒ１及びＲ２は、独立して、Ｃ１〜Ｃ１８アルキル基、Ｃ６〜Ｃ２４アリール基及びＣ６〜Ｃ２４ヘテロアリール基から選択される、光コンバータ。
【請求項１４】
式ＩＡ及びＩＢで定義される少なくとも２種の有機蛍光体の組み合わせを含む発光材料であって、
【化９】
2017503188.tif 000006
ここで、式中、Ｇ１〜Ｇ１２は、独立して、水素原子、ハロゲン原子、Ｒ１、ＯＲ１、ＮＨＲ１及びＮＲ２Ｒ１から選択され、ここで、Ｒ１及びＲ２は、独立して、Ｃ１〜Ｃ１８アルキル基、Ｃ６〜Ｃ２４アリール基及びＣ６〜Ｃ２４ヘテロアリール基から選択され、
前記少なくとも２種の有機蛍光体ＩＡ及びＩＢの１種以上のＧ１〜Ｇ１２の１つ以上は、独立して、Ｒ１、ＯＲ１、ＮＨＲ１及びＮＲ２Ｒ１から選択され、Ｒ１及びＲ２の１つ以上は、独立して、式ＩＩで定義される基を含み、
【化１０】
2017503188.tif 000007
ここで、式中、Ｄ、Ｅ、Ｉ、Ｌ及びＭは、独立して、水素原子、ハロゲン原子、Ｒ３、ＯＲ３、ＮＨＲ３及びＮＲ４Ｒ３から選択され、ここで、Ｒ３及びＲ４は、独立して、Ｃ１〜Ｃ１８アルキル基、Ｃ６〜Ｃ２４アリール基及びＣ６〜Ｃ２４ヘテロアリール基から選択される、発光材料。
【請求項１５】
８Ｈ−ベンゾ［３，４］イソクロメノ［７，８，１−ｄｅｆ］ベンゾ［４，５］イミダゾ［１，２−ｂ］イソキノリン−８−オン及び７Ｈ−ベンゾ［３，４］イソクロメノ［７，８，１−ｄｅｆ］ベンゾ［４，５］イミダゾ［２，１−ａ］イソキノリン−７−オン、
６，１６−ジフェニル−８Ｈ−ベンゾ［３，４］イソクロメノ［７，８，１−ｄｅｆ］ベンゾ［４，５］イミダゾ［１，２−ｂ］イソキノリン−８−オン及び５，１５−ジフェニル−７Ｈ−ベンゾ［３，４］イソクロメノ［７，８，１−ｄｅｆ］ベンゾ［４，５］イミダゾ［２，１−ａ］イソキノリン−７−オン、
６，１６−ジフェノキシ−８Ｈ−ベンゾ［３，４］イソクロメノ［７，８，１−ｄｅｆ］ベンゾ［４，５］イミダゾ［１，２−ｂ］イソキノリン−８−オン及び５，１５−ジフェノキシ−７Ｈ−ベンゾ［３，４］イソクロメノ［７，８，１−ｄｅｆ］ベンゾ［４，５］イミダゾ［２，１−ａ］イソキノリン−７−オン、
１６−フェノキシ−８Ｈ−ベンゾ［３，４］イソクロメノ［７，８，１−ｄｅｆ］ベンゾ［４，５］イミダゾ［１，２−ｂ］イソキノリン−８−オン及び５−フェノキシ−７Ｈ−ベンゾ［３，４］イソクロメノ［７，８，１−ｄｅｆ］ベンゾ［４，５］イミダゾ［２，１−ａ］イソキノリン−７−オン、
６，１６−ビス（４−（２，４，４−トリメチルペンタン−２−イル）フェノキシ）−８Ｈ−ベンゾ［３，４］イソクロメノ［７，８，１−ｄｅｆ］ベンゾ［４，５］イミダゾ［１，２−ｂ］イソキノリン−８−オン及び５，１５−ビス（４−（２，４，４−トリメチルペンタン−２−イル）フェノキシ）−７Ｈ−ベンゾ［３，４］イソクロメノ［７，８，１−ｄｅｆ］ベンゾ［４，５］イミダゾ［２，１−ａ］イソキノリン−７−オン、並びに
１６−（４−（２，４，４−トリメチルペンタン−２−イル）フェノキシ）−８Ｈ−ベンゾ［３，４］イソクロメノ［７，８，１−ｄｅｆ］ベンゾ［４，５］イミダゾ［１，２−ｂ］イソキノリン−８−オン及び５−（４−（２，４，４−トリメチルペンタン−２−イル）フェノキシ）−７Ｈ−ベンゾ［３，４］イソクロメノ［７，８，１−ｄｅｆ］ベンゾ［４，５］イミダゾ［２，１−ａ］イソキノリン−７−オン
からなる群から選択される、少なくとも２種の有機蛍光体の組み合わせを含む、請求項１４に記載の発光材料。
【請求項１６】
６，１６−ジフェニル−８Ｈ−ベンゾ［３，４］イソクロメノ［７，８，１−ｄｅｆ］ベンゾ［４，５］イミダゾ［１，２−ｂ］イソキノリン−８−オン及び５，１５−ジフェニル−７Ｈ−ベンゾ［３，４］イソクロメノ［７，８，１−ｄｅｆ］ベンゾ［４，５］イミダゾ［２，１−ａ］イソキノリン−７−オンの混合物を含む、請求項１４又は１５に記載の発光材料。